(57)【要約】【課題】  通気性に優れ、指関節の屈曲動作が阻害され難く、患部に意図したタイミングで的確に刺激電流を付与できる手指装着型電極及びこれを備えた電気刺激装置を提供すること。【解決手段】  患者の患部に刺激電流を付与して施療を行う電気刺激装置１４に接続される手指装着型電極１であって、電気絶縁性素材で形成され施療者の手指に接触装着される基材２と、 該基材２に設けられ前記手指を前記基材２に対して固定するための固定部６と、前記患部に押し当てられる前記基材面に少なくとも設けられる導電性部材５と、を備え、前記手指を前記基材２に固定した状態において該固定範囲を除く前記手指の指背側が露呈するようにしたことを特徴とする。【選択図】  図１
2013031644.tif 000002
【特許請求の範囲】
【請求項１】
患者の患部に刺激電流を付与し施療を行う電気刺激装置に接続される手指装着型電極であって、 
電気絶縁性素材で形成され施療者の手指に接触装着される基材と、 
該基材に設けられ前記手指を前記基材に対して固定するための固定部と、 
前記患部に押し当てられる前記基材面に少なくとも設けられる導電性部材と、を備え、
前記手指を前記基材に固定した状態において該固定範囲を除く前記手指の指背側が露呈するようにしたことを特徴とする手指装着型電極。
【請求項２】
前記基材は接触装着される前記手指の伸展方向に少なくとも延在しており、前記基材の幅寸法が前記手指の根元部分から先端部分に向かうに従い漸減することを特徴とする請求項１記載の手指装着型電極。
【請求項３】
前記基材は防水性を有することを特徴とする請求項１または２記載の手指装着型電極。
【請求項４】
前記導電性部材が設けられた位置に対応する前記基材面に吸水体が添設されることを特徴とする請求項１ないし３のいずれか一項に記載の手指装着型電極。
【請求項５】
前記吸水体は前記基材に対して着脱交換可能に設けられることを特徴とする請求項４記載の手指装着型電極。
【請求項６】
前記手指の指腹側の根元付近に接触する前記基材端部が手指先端方向に向かって凹んでいることを特徴とする請求項１ないし５のいずれか一項に記載の手指装着型電極。
【請求項７】
前記施療者の手指個体差に応じて前記固定部は調整自在とされることを特徴とする請求項１ないし６のいずれか一項に記載の手指装着型電極。
【請求項８】
露呈した前記手指の部位を前記基材に対して固定する第二の固定部を更に設けたことを特徴とする請求項１ないし７のいずれか一項に記載の手指装着型電極。
【請求項９】
請求項１ないし８のいずれか一項に記載の手指装着型電極と、該手指装型電極に電極コードを介して刺激電流を供給する電気刺激装置本体と、を備え、
前記手指に装着した手指装着型電極の導電性部材側の面を患者の患部に押し当てることで刺激電流を付与することを特徴とする電気刺激装置。
【発明の詳細な説明】
【技術分野】
【０００１】
本発明は、電気刺激装置本体に接続される電極を医師や理学療法士など（以下、施療者という）の手指に装着し、施療者が手指で患者の患部を触診しながら刺激電流を付与して施療を行う手指装着型電極と、これを備えた電気刺激装置に関するものである。
【背景技術】
【０００２】
従来から低周波治療器などの電気刺激装置に用いられる手指装着型電極として、特許文献１〜２に示す指サック形状のものが一般に知られている。
特許文献１には、低周波発信器本体から導設の可撓性コードの遊端に付設され、かつ、手指によって患部に当付け可能な端子を、手指に対して嵌め込み装着並びに離脱自在な電気絶縁性の手指保護部材に固定保持させた低周波治療器用端子が記載されている。
【０００３】
また、特許文献２には、電気絶縁性の布帛からなり、手指に装着可能な指サック形状の本体と、導電性の布帛からなり、本体の指腹部分の表面に張り付けられた皮膚接触電極部とを備えた低周波治療器用指サック型電極体が記載されている。
これらの従来技術によれば、施療者が患者に対して肩屈曲、肘屈伸、手関節掌背屈、按摩といった種々のリハビリ手技を実施するなかで、これらの手技を中断することなく患部に意図したタイミングで電気刺激を付与できるという利点がある。
【０００４】
しかし、特許文献１では手指に装着する指サック形状の保護部材が手指全体を包囲するゴム製の素材で形成されており（第２図参照）、一方、特許文献２においても、同様に電極本体が布帛素材で手指全体を包み込む指サック形状（図３など参照）を呈しているため、通気性に優れず、指サック電極を手指に装着した状態で前述したリハビリ手技や患部に対する手指の接触離反の動作を繰り返す通電動作を行うことにより、指サック電極内で皮膚が発汗し蒸れて施療者に不快感を与えるという問題点を有していた。
また、指サック電極に採用する素材によっては指関節の屈曲動作が阻害されるといった問題点も抱えていた。
【先行技術文献】
【特許文献】
【０００５】
【特許文献１】実開昭５７−７０３４１号公報
【特許文献２】実用新案登録第３１５７８３７号公報
【発明の概要】
【発明が解決しようとする課題】
【０００６】
本発明は上記問題点に鑑みてなされたもので、通気性に優れ、手指関節の屈曲動作が阻害され難く患部に意図したタイミングで的確に刺激電流を付与できる手指装着型電極及びこれを備えた電気刺激装置を提供することである。
【課題を解決するための手段】
【０００７】
上記問題点を解決するために、本発明は、患者の患部に刺激電流を付与し施療を行う電気刺激装置に接続される手指装着型電極であって、 
電気絶縁性素材で形成され施療者の手指に接触装着される基材と、 
該基材に設けられ前記手指を前記基材に対して固定するための固定部と、 
前記患部に押し当てられる前記基材面に少なくとも設けられる導電性部材と、を備え、
前記手指を前記基材に固定した状態において該固定範囲を除く前記手指の指背側が露出するようにしたことを特徴とする。
【０００８】
本発明によれば、通気性に優れるので、手指装着型電極を装着した状態でリハビリ手技を行ったり、患部に対する手指の接触離反の動作を繰り返しても手指が蒸れ難く、しかも、通電部位を任意に変更することができるので、モーターポイントを探しやすく、意図したタイミングで意図した部位に任意に通電できるという従来の手指装着型電極のメリットを損なうこともない。
【０００９】
また、前記基材は接触装着される前記手指の伸展方向に少なくとも延在しており、前記基材の幅寸法が前記手指の根元部分から先端部分に向かうに従い漸減することが好ましい。
【００１０】
これによれば、基材が手指形状に沿う形状となり、手指から横外にはみ出す基材の端部分を低減することができ、狭小部位の患部をピンポイントで施療する上で一層好ましいものとなる。
【００１１】
また、前記基材は防水性を有する素材を用いることが好ましい。
【００１２】
これによれば、患者の汗等の水分の基材内部への侵入を抑止できるので、施療者に不快感を与える心配がなく、基材内部の清潔性を維持でき衛生上好ましいものとなる。
【００１３】
また、前記導電性部材が設けられた位置に対応する前記基材面に吸水体が添設されることが好ましい。
【００１４】
これによれば、吸水体に水を含水させて施療することで、患者への通電によるピリピリとした痛感を緩和できる。例えば、吸収体を厚みの薄い（２〜３ｍｍ程度の厚みの）スポンジとすることにより、施療者が手指で患部の筋収縮を実際に確かめながら施療することができ、施療上支障を来たさず好ましいものとなる。
【００１５】
また、前記吸水体は前記基材に対して着脱交換可能に設けられることが好ましい。
【００１６】
これによれば、手指装着型電極の繰り返し使用により吸水体が消耗劣化した場合に吸水体の交換が容易となり、また、未だ充分に使用余地のある基材や導電性部材などの他部材を無駄にすることなく有効活用できランニングコストを抑えることができ経済性に優れたものとなる。
【００１７】
また、前記手指の指腹側の根元付近に接触する前記基材端部が手指先端方向に向かって凹んでいることが好ましい。
【００１８】
これによれば、施療者が手指装着型電極を装着した状態で手指の接触離反の動作をする際に、基材端部が手指の指腹側の根元付近を圧迫し難いものとできる。
【００１９】
また、前記施療者の手指個体差に応じて前記固定部は調整自在とされることが好ましい。
【００２０】
これによれば、施療者の手指の太さ等、個体差に応じて固定部を調整できるので、手指を基体に確実に固定でき、施療する上で好ましいものとなる。
【００２１】
また、露呈した前記手指の部位を前記基材に対して固定する第二の固定部を更に設けることができる。
【００２２】
これによれば、手指装着型電極を中指や人差し指に接触装着して使用する場合、手指の伸展方向に延在する基材の寸法が長くなるが、露呈した手指の部位を基材に対して固定する第二の固定部を設けているため、施療中に基材が患者の体部位に突き当たり手指と離反する方向に反り返ったり、屈曲伸展動作を繰り返すことにより基材自体に曲げ癖がつき手指と基材とが密着し難くなるという不都合を抑制でき、手指の基体に対する固定がより一層確実になり、施療を行う上で好ましいものとなる。
【００２３】
本発明は、上記の手指装着型電極と、該手指装型電極に電極コードを介して刺激電流を供給する電気刺激装置本体と、を備え、
前記手指に装着した手指装着型電極の導電性部材側の面を患者の患部に押し当てることで刺激電流を付与する電気刺激装置であることを特徴とする。
【００２４】
手指装着型電極を電気刺激装置に接続することで、施療者の意図したタイミングで任意に患部に対して通電することが可能となる。
【発明の効果】
【００２５】
本発明に係る手指装着型電極は、電気絶縁性素材で形成され施療者の手指に接触装着される基材と、該基材に設けられ前記手指を前記基材に対して固定するための固定部と、患部に押し当てられる前記基材面に少なくとも設けられる導電性部材と、を備え、前記手指を前記基材に固定した状態において該固定範囲を除く前記手指の指背側が露呈するようにしたものである。
従って、通気性に優れ、手指装着型電極を装着した状態でリハビリ手技を行ったり、患部に対する手指の接触離反の動作を繰り返しても電極内で手指が蒸れ難く、しかも、手指関節の屈曲動作が阻害され難いという優れた作用効果を奏するものである。
【００２６】
また、本発明は、電極コードを介して手指装着型電極を電気刺激装置本体と接続し、施療者が手指装着型電極を患者の患部に押し当てる動作をすることにより刺激電流を付与できるので、施療者の意図したタイミングで的確に通電をすることが可能となる。
【図面の簡単な説明】
【００２７】
【図１】本発明の第一の実施形態に係る手指装着型電極の平面図である。
【図２】本発明の第一の実施形態に係る手指装着型電極の背面図である。
【図３】本発明の第一の実施形態に係る手指装着型電極の構造を説明する斜視分解図である。
【図４】本発明の第一の実施形態に係る手指装着型電極を施療者の左手人差し指に装着した状態の斜視図である。
【図５】本発明の第一の実施形態に係る電気刺激装置の説明図である。
【図６】本発明の第二の実施形態に係る手指装着型電極を施療者の左手人差し指に装着した状態の斜視図である。
【図７】本発明の第三の実施形態に係る手指装着型電極の説明図である。
【図８】本発明の第四の実施形態に係る手指装着型電極の説明図である。
【発明を実施するための形態】
【００２８】
以下、本発明の第一の実施形態に係る手指装着型電極１の構造を図１〜５を参照して詳細に説明する。
手指装着型電極１は、電気絶縁性素材で形成され施療者の手指に接触装着される薄シート状の基材２と、一部分が基材２内部から基材２外面に延出する導電性部材５と、基材２に設けられ手指を基材２に対して固定するための固定部６とを備えている。
図１に示す基材２上面側が患者の患部に接触する側の面で、図２に示す基材２上面側が施療者の手指に接触装着される側の面である。尚、本実施形態では、図４に示すように施療者の左手の人差し指Ｆに手指装着型電極１を装着する態様例を説明する。
【００２９】
基材２の素材としては、例えば、ポリエステル系の合成樹脂繊維、ウレタンシート、ナイロンシートなどの電気絶縁性及び防水性を有するものを採用することができる。
また、導電性部材５の素材としては、織物に銅、ニッケル、銀などの金属線を織り込んだ導電性織物、不織布に銅、ニッケル、銀などの金属を含浸させた導電性不織布のほか、合成ゴム等のゴム材料に導電性カーボンブラックまたは金属粉末を配合した導電性ゴムなどを適宜採用することができる。尚、基材２及び導電性部材５の各素材はこれらに限定されるものではない。
【００３０】
図１〜２に示すように、基材２は、人差し指Ｆの伸展方向に延在する垂直部２ａと、垂直部２ａの基端側において垂直部２ａから左右両方向に水平に延在する水平部２ｂとからなり、全体が平面視略Ｔ字形状を呈している。
【００３１】
垂直部２ａ基端の側縁端部は、施療者が手指装着型電極１を装着し人差し指Ｆを患者の患部に対して接触離反させる動作の際に、側縁端部が人差し指Ｆの指腹側の根元付近に接触し根元付近を圧迫し難くなるように垂直部２ａ方向に向かって内側に凹む凹み部１１が形成されている。
【００３２】
図２における垂直部２ａ上面は、垂直部２ａの基端側に施療者の人差し指Ｆの根元部分が配置され垂直部２ａの延在方向に沿って人差し指Ｆの指腹側が押し当てられる部分であり、垂直部２ａの延在方向の寸法は一般的な施療者の人差し指Ｆの長さに対応する寸法に設定されている。さらに、垂直部２ａはその幅寸法が基端側から先端側（人差し指Ｆの根元部分から先端部分）に向かうに従い漸減する形状となっており、施療者の手指形状に沿うよう工夫されている。
よって、垂直部２ａの左右側部が人差し指Ｆから横外にはみ出す部分を低減することができ、狭小部位の患部をピンポイントで施療する上で一層好ましいものとなる。
【００３３】
図３に示すように、基材２は互いに同種素材で同一形状に形成される二枚の薄シート状の第一の基材３と第二の基材４が上から順に重層して構成される。
また、上側に配置された第一の基材３と、下側に配置された第二の基材４の間には平面視略Ｌ字片の導電性部材５が配置されている。
【００３４】
導電性部材５の一方側片５ａは第一の基材３と第二の基材４で挟持され、一方側片５ａ端部は、第一の基材３、第二の基材４、接続端子としてのホック９とともに圧接固定される。
一方、他辺側片５ｂの大半領域は第一の基材３の上下中央からやや基端側寄り位置に穿設された挿通孔１６に挿通されて、第一の基材３と第二の基材４の間から第一の基材３の外面側に向けて延在し露出する構成となっている。
【００３５】
導電性部材５と基材２（第一の基材３・第二の基材４）とは接着剤を介して接合される。第一の基材３と第二の基材４は、外周側縁がウェルダー溶着方法により溶着され基材２として一体化される。図１〜２中、２８は溶着部分を示す。尚、基材２の製造方法はこれに限定されるものではなく、成型などにより製造することも可能である。
【００３６】
また、図１、３に示すように導電性部材５の他辺側片５ｂの露出位置に対応する基材２（第一の基材３）の垂直部２ａ外面には、他辺側片５ｂ全体を覆い隠すようにスポンジ素材でなる吸水体１０が縫着により添設される。スポンジの代替としてフェルトなどの素材を用いても構わない。
【００３７】
吸水体１０の厚みは適度の吸水量を確保できるとともに施療者が患部を触診し刺激電流の付与による筋収縮を人差し指Ｆで体感できるように、２〜３ｍｍ程度とするのが好ましい。
【００３８】
図１〜２に示すように、吸水体１０が添設される側の基材２（第一の基材３）の水平部２ｂにおける一方端側外面には面状ファスナーの雌部材７が配設され、吸水体１０が添設される側と反対側の基材２（第二の基材４）の外面であって雌部材７の配設位置と反対側の水平部２ｂ端側外面には面状ファスナーの雄部材８が配設されている。
水平部２ｂ、雌部材７及び雄部材８は施療者の人差し指Ｆを基材２に対し固定するための固定部６としての機能を担う。
尚、雌部材７と雄部材８の配設位置をそれぞれ入れ替えて止着できるように構成しても構わない。
【００３９】
よって、基材２を図２の状態になし垂直部２ａの延在面に沿うように人指し指Ｆの指腹側を載置して、水平部２ｂ両端を指背側に曲折し人差し指Ｆ周囲に沿って巻き付け、雌部材７と雄部材８とを重ね合わせるように止着させることで、基材２に対して人差し指Ｆを固定することができる。
雌部材７と雄部材８の止着位置を適宜変更することで、施療者ごとの人差し指Ｆの太さ（個体差）に応じた調整が可能である。
フックやホックなどの部材により個体差の調整を行うようにしてもよい。
【００４０】
図４に示すように、人差し指Ｆを手指装着型電極１に装着した状態において、固定部６で固定された人差し指Ｆの根元近傍を除く指背側が露呈する態様となっている。人差し指Ｆの第一関節２６及び第二関節２７に相当する指背側が露呈しているので、人差し指Ｆの屈曲伸展動作が阻害され難く、該動作の自由度を確保することができる。
【００４１】
図５は本発明に係る電気刺激装置１４を示しており、図中、１２は電気刺激装置本体である。手指装着型電極１はホック９を介して電極コード１５のクリップ部３０と接続される。
手指装着型電極１と電極コード１５との接続方法はホック９に限定されるものでなく、マグネット式、タブ式などの接続方法のほか、電極と電極コードが一体化されている電極コード一体型なども採用することができる。
【００４２】
一方、１３は公知の低周波治療器などにおいて一般的に使用されるゲル電極であって、円中心部にホック２１が突設され、このホック２１を介して電極コード２２のクリップ部３１と接続される。
電極コード１５及び電極コード２２は中途位置にて結束部材２９で結束されて電極コネクタ２０に接続されている。
【００４３】
以下、第一の実施形態に係る手指装着型電極１の使用方法について、手首関節の背屈動作に障害を有する脳卒中患者に対する施療例を一例として説明する。
まず、電気刺激装置本体１２の本体側コネクタ１７に電極コネクタ２０を差し込み、電極コード１５・２２と電気刺激装置本体１２とを接続し、ゲル電極１３のホック２１に電極コード２２を係着させる。詳細な説明は省略するが、電気刺激装置本体１２に配備される種々のスイッチ群を操作して刺激電流強度や施療時間などの諸々の施療条件を患者ごとに設定する。
【００４４】
続いて、吸水体１０に水分を吸水させ、基材２を図２の状態（第二の基材４面が上側になる状態）になし、垂直部２ａの延在方向に沿って左手人差し指Ｆの指腹側を上方から押し当てる。
この状態で水平部２ｂ両端を指背側に曲折し人差し指Ｆ周囲に沿って巻き付け、面状ファスナーの雌部材７と雄部材８とを重ね合わせて垂直部２ａ基端部から水平部２ｂにわたる面が人差し指Ｆに密着するように止着することで人差し指Ｆを基材２に対して固定する。
このときホック９は指背側に位置し概ね上方向を指向しているので、ホック９に電極コード１５のクリップ部３０を係着させる。
【００４５】
ゲル電極１３を施療対象となる患者前腕の手関節背屈筋群（長橈側手根伸筋または短橈撓側手根伸筋）の筋腹上に装着する。
施療者は右手で患者の手首付近を支承しつつ手指装着型電極１を装着した左手の人差し指Ｆで吸水体１０が添設される部分を患者前腕の手指伸筋群（総指伸筋）の筋腹上付近に接触させ、ゲル電極１３と手指装着型電極１間に刺激電流を付与する。
【００４６】
この刺激電流の付与により、手関節背屈筋群ないしは手指伸筋群の筋収縮が促され、この結果として手首関節の背屈動作が強要されることになる。
予め吸水体１０に水を含水させているので、患者に対する刺激電流の付与によるピリピリとした痛感を緩和できる。
【００４７】
手指装着型電極１を患者前腕から離反させれば刺激電流の付与が停止される。
施療者は手指伸筋群に対して手指装着型電極１を接触離反させる動作を繰り返し、手関節背屈筋群を収縮させ手関節の背屈動作を促進する施療を行う。
施療中はこの動作を数十回繰り返し行うことになるが、固定部６による人差し指Ｆの固定範囲を除いて指背側が露呈している構成となっているため、通気性に優れ、手指装着型電極１の装着状態でリハビリ手技を行ったり、接触離反の動作を繰り返した場合でも人差し指Ｆが蒸れ難いものとなっている。
【００４８】
次に、図６を参照して本発明の第二の実施形態に係る手指装着型電極１を説明する。
尚、図６において図１乃至４と同一又は同等の構成要素については、同一符号を付記して、特に説明を要する場合を除いて構成要素の説明は省略する。
第二の実施形態は、第一の実施形態の手指装着型電極１の構成に、露呈した人差し指Ｆの部位を基材２に対して固定する第二の固定部１８を付設したことを特徴とするものである。
【００４９】
吸水体１０の取着位置と反対側（第二の基材４の側）の垂直部２ａ面の先端側寄り位置には第二の固定部１８としてのゴムバンド部材２５が取着され、ゴムバンド部材２５内に人差し指Ｆを通すことで露呈した人差し指Ｆの先端側の部位を垂直部２ａに対して固定可能になっている。
よって、施療中に基材２が患者の体部位に突き当たり手指と離反する方向に反り返ったり、屈曲伸展動作を繰り返すことにより基材２自体に曲げ癖がつき手指と基材２とが密着し難くなるという好ましくない事象を防止でき、施療を行う上で好ましいものとなる。
【００５０】
尚、第二の固定部１８はゴムバンド部材２５に限定されるものでなく、露呈した人差し指Ｆの部位を基材２に対して固定でき、人差し指Ｆの屈曲伸展動作を妨げるものでなければ如何なる態様や素材のものを採用しても構わない。
例えば、図示は省略するが、基材２先端部分に人差し指Ｆの爪先部分を挿嵌することで爪先部分を固定可能なカバー状部材からなる固定部を設けるようにすることも可能である。
【００５１】
次に、図７を参照して本発明の第三の実施形態に係る手指装着型電極１を説明する。
尚、図７において図１乃至４と同一又は同等の構成要素については、同一符号を付記して、特に説明を要する場合を除いて構成要素の説明は省略する。
第一の実施形態では吸水体１０を基材２に対して縫着し固定化した構造を説明したが、第三の実施形態は吸水体１０を基材２に対して着脱交換可能に設けた構造を特徴とする。
【００５２】
基材２（第一の基材３）の垂直部２ａ面には導電性部材５の他方側片５ｂ延出位置の前付近から第一の基材３先端に亘って吸水体収容部１９が形成される。
【００５３】
吸水体収容部１９は、垂直部２ａ基端近傍の面に開口形成される吸水体１０を挿脱するための挿脱口２３と、導電性部材５の他方側片５ｂの延出部分が視認可能な形状に開口形成される露出窓部２４とから構成される。
挿脱口２３から吸水体１０を吸水体収容部１９内へ挿通可能となっており、吸水体１０は吸水体収容部１９内奥の所定位置まで内挿することができる。
【００５４】
吸水体１０の外形形状は平面視で先細の涙状を呈しており、吸水体収容部１９内奥の所定位置に吸水体１０を装填した状態で、他方側片５ｂ全体を上方から覆うように吸水体１０の長手方向寸法が設定され、且つ露出窓部２４の輪郭よりも若干幅広となるように幅方向寸法が設定されている。
吸水体１０の両横側部は第一の基材３と第二の基材４の間に挟み込まれ圧接支持されているため、吸水体１０を下方に向けて手指装着型電極１の使用を行っても吸水体収容部１９から吸水体１０が落下することはない。
【００５５】
また、図示は省略するが、吸水体収容部１９に吸水体１０を装填した状態において、吸水体１０は露出窓部２４に臨む部分が基材２上面から僅かに突出し患者の皮膚面に当接可能となっている。
吸水体１０を交換する場合は挿脱口２３から使用済みの吸水体１０を取出し、新品の吸水体１０を入れ替えて内挿すればよい。
【００５６】
従って、手指装着型電極１の繰り返し使用により吸水体１０が消耗劣化した場合であっても吸水体１０の交換が極めて容易なものとなり、また、未だ充分に使用余地のある基材２や導電性部材５などの他部材を無駄にすることなく有効活用でき、その結果としてランニングコストを抑えることができ経済性に優れたものとなる。
【００５７】
次に、図８を参照して本発明の第四の実施形態に係る手指装着型電極１を説明する。尚、図８において図１乃至４と同一又は同等の構成要素については、同一符号を付記して、特に説明を要する場合を除いて構成要素の説明は省略する。第四の実施形態は、吸水体１０を基材２に対して着脱交換可能に設けた別の構造例であって、吸水体１０の一方面に形成されるポケット部３２内に基材２の垂直部２ａを挿脱可能に構成したものである。
【００５８】
ポケット部３２は、吸水体１０に対して防水性の樹脂製シート３３が垂直部２ａの挿脱口に対応する周縁を除く周縁部において逢着されて形成される。施療中に垂直部２ａから吸水体１０が不用意に逸脱して落下しないよう、垂直部２ａは樹脂製シート３３と吸水体１０に密着して挟持されている。吸水体１０を基材２に装着する場合は、例えば、ポケット部３２が上面となるように吸水体１０を配置し、基材２の導電性部材５が下面を向くようにしたまま垂直部２ａをポケット部３２の内奥まで挿入すればよい。
【００５９】
尚、本発明は前述した実施形態に限定されることなく、本発明の趣旨を逸脱しない範囲において適宜変更が可能である。図示は省略するが、例えば、以下の構成を採用することができる。
【００６０】
前述の第一の実施形態において、垂直部２ａが自重により人差し指Ｆから離反する方向に垂下した結果、施療中に基材２が患者の体部位に引っ掛かり曲折破損するなどという好ましくない事象を防止するため、詳細な説明は省略するが、垂直部２ａ内方に人差し指Ｆに接近する方向に復元する特性を有する樹脂材料を埋設したり、または、バネ等の弾性体を埋設するように構成してもよい。
【００６１】
また、人差し指Ｆの屈曲伸展動作をより円滑に行うようにするため、基材２における人差し指Ｆの第一関節２６及び第二関節２７付近に相当する部分を他の部分に対して薄肉とする凹凸条を基材２面の幅方向に形成するように構成してもよい。
【００６２】
また、前述の第一の実施形態から第二の実施形態では手指装着型電極１を左手の人差し指Ｆに装着し施療する例を説明したが、本発明は基材の手指伸展方向の寸法や幅寸法などを適宜変更することで、親指、中指、薬指、小指の他の手指に装着して使用することも勿論可能である。
【００６３】
また、施療者の左右両腕の手指に各々手指装着型電極を装着し、二つの手指装着型電極の間で刺激電流を流して施療できるように電気刺激装置を構成してもよい。
【００６４】
また、第三の実施形態から第四の実施形態においては、吸水体１０を基材２に対して着脱交換可能に設ける構造例を説明したが、本発明はこれらの構造に限定されるものではなく、吸水体１０が着脱交換できれば如何なる構造を採用しても構わない。
【産業上の利用可能性】
【００６５】
本発明は、手指装着型電極の導電性部材側の面を患者の患部に押し当てることで刺激電流を付与し施療を行う手指装着型電極及びこれを備えた電気刺激装置に適用できるもので、産業上の利用可能性は非常に高いものといえる。
【符号の説明】
【００６６】
１    手指装着型電極
２    基材
２ａ  垂直部
２ｂ  水平部
３    第一の基材
４    第二の基材
５    導電性部材
６    固定部
７    雌部材
８    雄部材
１０    吸水体
１１    凹み部
１２    電気刺激装置本体
１４    電気刺激装置
１５    電極コード
１８    第二の固定部
【図１】
2013031644.tif 000003
【図２】
2013031644.tif 000004
【図３】
2013031644.tif 000005
【図４】
2013031644.tif 000006
【図５】
2013031644.tif 000007
【図６】
2013031644.tif 000008
【図７】
2013031644.tif 000009
【図８】
2013031644.tif 000010